(57)【特許請求の範囲】
【請求項１】
カードを基板に電気的に接続するためのカード用コネクタであって、
前記カードが挿抜されるハウジングと、
前記ハウジングに前記カードを挿着したときに、前記カードの接点と接触するコネクタ端子と、
前記カードの挿入、排出に伴って、前記カードの挿抜方向に移動するスライダと、
前記スライダを前記カードの挿入方向へ付勢する圧縮コイルばねからなる第１コイルばねと、
前記スライダを挟んで該第１コイルばねと反対側に位置し、前記スライダを前記カードの排出方向へ付勢する圧縮コイルばねからなる第２コイルばねと、を備え、
前記第１コイルばね及び前記第２コイルばねは、前記スライダ及び前記ハウジングに、それぞれ常に接触して弾性変形することを特徴とするカード用コネクタ。
【請求項２】
前記第１コイルばねと前記第２コイルばねは、前記カードの挿抜方向に沿って同軸上に配置されている請求項１記載のカード用コネクタ。
【請求項３】
第２コイルばねの弾性による付勢力は、第１コイルばねの弾性による付勢力よりも大きい請求項１又は請求項２記載のカード用コネクタ。
【請求項４】
前記カードが前記ハウジングに挿入されていない状態においては、前記スライダは、前記ハウジングに設けた位置決め部と前記第２コイルばねにより挟持されている請求項１〜３のいずれか１項記載のカード用コネクタ。
【発明の詳細な説明】
【技術分野】
【０００１】
本発明は、携帯電話、ＰＣその他の各種携帯情報端末、デジタルカメラ、デジタルＡＶ機器などのメモリ対応機器、及び家庭用ゲーム機器に用いられるメモリーカード、ＩＣカード並びにカード型カートリッジに使用される、カード用コネクタに関する。
【背景技術】
【０００２】
携帯電話、ＰＣその他の各種携帯情報端末、デジタルカメラ、デジタルＡＶ機器などのメモリ対応機器、家庭用ゲーム機器その他の機器では、ＩＣやメモリを組み込んだメモリーカード、ＩＣカード、又は、カード型カートリッジが広く使用されている。これらのメモリーカード、ＩＣカード、及びカード型カートリッジを機器側の回路基板に電気的に接続するためにカード用コネクタが用いられている。
【０００３】
従来のカード用コネクタとしては、例えば、図１０、図１１に示すものがある（特許文献１）。このカード用コネクタには、カード１２１が挿脱可能なハウジング１２２が設けられ、このハウジング１２２は、ハウジング本体１２３とこの上方を覆うハウジングカバー１２４とで構成されている。ハウジング本体１２３は、薄板状の底板１２５と、前端部に形成された前壁１２６と、側部に形成された側壁１２７とを備え、底板１２５の前端側には１０本の端子１２８が並列に配列されている。
【０００４】
前壁１２６内側にはアーム受け溝１３４が形成され、さらに、該アーム受け溝１３４内には小径の丸溝１３５（図１１参照）が形成されている。この丸溝１３５にはアーム１３６の前端部１３７が枢支されている。また、前壁１２６には、ばね受け凹部１３９が形成されている。さらに、底板１２５の後方には、コーナ壁１４０が形成され、該コーナ壁１４０にはばね収容溝１４１が形成されている。
【０００５】
ハウジングカバー１２４は両側が下方に折曲し、ハウジング本体１２３に被嵌されるようになっている。また、ハウジングカバー１２４の縁部には、アーム押え１４３が折曲形成され、アーム押え１４３はアーム１３６を下方に押え付けている。
【０００６】
底板１２５の端部１２９にはスライダ１４４が設けられ、スライダ１４４は、角棒状のガイド部１４５と、ガイド部１４５の前端部から内側に突設されカード１２１の前端が当接可能な当接部１４６とを備えている。また、ガイド部１４５の上面側には、係合凹部１４８を有するハートカム１４７が形成され、アーム１３６の後端部１３８がハートカム１４７に沿って揺動可能となっている。
【０００７】
また、ガイド部１４５の後端部には、ばね収容溝１４９が形成されている。そして、引張コイルばね１５１は、その前端部、後端部がそれぞれ、各ばね収容溝１４９，１４１内に収容支持されるようになっている。また、当接部１４６には切欠部１５６が形成され、切欠部１５６に圧縮コイルばね１５８の後端部が係合している。
【０００８】
カード１２１の挿入時には、カード１２１の挿入に伴ってスライダ１４４が引張りコイルばね１５１の弾性力に抗して前進し、さらに圧縮コイルばね１５８がばね受け凹部１３９に当接して圧縮される。そして、アーム１３６の後端部１３８がハートカム１４７の係合凹部１４８に係合してスライダ１４４とカード１２１が挿着位置にロックされてカード１２１と端子１２８とが接触する。
【０００９】
この状態から、カード１２１を排出させるには、挿着位置でカード１２１をさらに押し込むことによりアーム１３６の後端部１３８が係合凹部１４８から外れて圧縮コイルばね１５８の弾性力によりスライダ１４４とカード１２１が後退してカード１２１と端子１２８とが離間した後、引張りコイルばね１５１の弾性力によりスライダ１４４とカード１２１が排出位置まで後退するものとなる。
【特許文献１】特開２００２−３６７７２０号公報
【特許文献２】特開２００５−２０３２３１号公報
【特許文献３】特開２００５−１３４９７８号公報
【発明の開示】
【発明が解決しようとする課題】
【００１０】
しかしながら、上述のカード用コネクタにおいては、引張コイルばね１５１及び圧縮コイルばね１５８の二つのコイルばねにより、スライダ１４４とカード１２１をカードの排出方向へ付勢しており、カード１２１の排出時に、カード１２１が勢いのあまり、排出位置を超えて落下してしまうという問題があった。また、コネクタ装置に衝撃が加わった場合にロックが外れてカードが飛び出す虞があった。
【００１１】
これに対して、カード排出時のカード飛び出しを防止すべく、引張コイルばね１５１に代えて、スライダの後端部とハウジング後端部との間にカード排出方向に沿って、板ばねを配置したコネクタ装置が提案されている（特許文献２）。この文献には、カード排出時にスライダが移動することによる衝撃が、板ばねの有する弾発力で緩和されるため、カード排出時にカードに伝わる衝撃を抑えることができ、これにより、カードの飛び出しを防止することができることが開示されている。
【００１２】
しかし、カード排出時の緩衝部材として板ばねを配置したこのコネクタ装置では、カード飛び出し防止の効果はあるものの、スライダが停止する際に、スライダと板ばねとが離間している状態から衝突するために衝撃が生じるという問題、さらには、昨今の軽薄短小化されたコネクタでは板ばねの大きさを小さくする必要があり、スライダが停止する際に生じる衝撃を吸収するのに必要なばねのストロークや荷重を十分に得ることができないという問題がある。
【課題を解決するための手段】
【００１３】
上記課題を解決するために、本発明のカード用コネクタにおいては、カードを基板に電気的に接続するためのカード用コネクタであって、前記カードが挿抜されるハウジングと、前記ハウジングに前記カードを挿着したときに、前記カードの接点と接触するコネクタ端子と、前記カードの挿入、排出に伴って、前記カードの挿抜方向に移動するスライダと、前記スライダを前記カードの挿入方向へ付勢する圧縮コイルばねからなる第１コイルばねと、前記スライダを挟んで該第１コイルばねと反対側に位置し、前記スライダを前記カードの排出方向へ付勢する圧縮コイルばねからなる第２コイルばねと、を備え、前記第１コイルばね及び前記第２コイルばねは、前記スライダ及び前記ハウジングに、それぞれ常に接触して弾性変形することを特徴としている。
【００１４】
前記第１コイルばねと前記第２コイルばねは、前記カードの挿抜方向に沿って同軸上に配置されていることが好ましい
【００１５】
上記カード用コネクタでは、第２コイルばねの弾性による付勢力は、第１コイルばねの弾性による付勢力よりも大きいことが好ましい。
【００１６】
上記カードがハウジングに挿入されていない状態においては、スライダは、ハウジングに設けた位置決め部と前記第２コイルばねにより挟持されているとよい。
【発明の効果】
【００２０】
本発明によると、カードの挿抜方向に沿って、スライダとハウジングに常に接触するように、２つのコイルばねを同軸上に配置してあるため、カード挿入時は、第１コイルばねの作用により挿入力を低減でき、カード排出時は、第１コイルばねが、排出動作直後からスライダのブレーキとして作用するため、排出動作完了時には十分にスライダの加速度を減衰させることができる。さらに、排出動作中に、ばねとスライダとが衝突する構造ではないため衝撃を生じることがなく、これによりカードの飛び出しを効果的に防止することができる。
【発明を実施するための最良の形態】
【００２１】
以下、本発明にかかる実施形態を図面を参照しつつ詳しく説明する。
本実施形態に係るカード用コネクタは、図１に示すように、カード７０が挿抜可能なハウジング２０、アーム６０、スライダ５０、第１コイルばね８０、第２コイルばね８２、及びロック金具９０を備える。
【００２２】
ハウジング２０は、合成樹脂製で上方及び後端側が開放されたハウジング本体２１と、ハウジング本体２１の上方を閉塞可能な金属製のハウジングカバー４１と、で構成されている。
【００２３】
ハウジング本体２１は、板状の底板２５と、底板２５の前端部に形成された前壁２６と、底板２５の一方の側部に形成された側壁２７とを備え、底板２５の略中央に設けた凹部２５ａには、所要数（図１では８本）の端子（コネクタ端子）２８が並列に配列されている。これらの各端子２８は、凹部２５ａの略中央で幅方向に延びる中央壁部２５ｂに圧入又は一体成形されている。底板２５の他方の側壁２９側には、前後方向に細長矩形状のガイド孔３０が、形成されている。
【００２４】
ガイド孔３０前方の前壁２６内側にはアーム受け凹部３４が形成され、このアーム受け凹部３４内には小径の丸溝３５が形成されている。この丸溝３５にはアーム６０の前端部６２が枢支される。アーム６０は、前端部６２及び後端部６４がそれぞれ下方に折り曲げられたピン状を成している。
【００２５】
アーム受け凹部３４より側壁２９側の前壁２６には、側壁２９と略平行に延びる第２ばね受け柱部３６が形成されている。第２ばね受け柱部３６の後方には、コーナ壁３７が形成され、このコーナ壁３７には、第２ばね受け柱部３６と同軸上に、第２ばね受け柱部３６に向かって延びる第１ばね受け柱部３８が形成されている。また、側壁２９の３７寄りには、内側へ突出する位置決め部２９ａが設けられている。
【００２６】
ハウジングカバー４１は、下方に折り曲げられた左右の壁部４２、４３を側壁２７、２９にそれぞれ係合して、ハウジング本体２１に被嵌されるようになっている。このハウジングカバー４１においては、ハウジング本体２１のガイド孔３０の前端側に対向する位置、後方斜め下方に片持ち梁状に延びるアーム押え４５が折曲形成されている。ハウジングカバー４１がハウジング本体２１に被嵌されたとき、アーム押え４５はアーム６０を下方に押えつける。このハウジングカバー４１もハウジング本体２１とともに、基板に実装される。
【００２７】
スライダ（イジェクトバー）５０は、略角棒状のガイド部５１と、ガイド部５１の後端部から外側に向かう傾斜側面５３ａ及びこれに続いて前後方向に延びる側面５３ｂが形成された当接部５３と、ガイド部５１の後端部から外側へ延びるばね支持部５８と、を備える。このスライダ５０は、ばね支持部５８が側壁２９側に向くように、底板２５の側壁２９側に配置される。ハウジング２０内にカード７０が挿入されると、当接部５３には、カード７０の前端が当接する。
【００２８】
ガイド部５１の上面からは、ハートカム５５が凹設され、このハートカム５５の後端には係合凹部５６が形成されている。ばね支持部５８には、第１ばね受け柱部３８及び第２ばね受け柱部３６と同軸上に延びるように、第２ばね受け柱部３６側へ向かう第２柱部５８ａと、第１ばね受け柱部３８側へ延びる第１柱部５８ｂと、が設けられている。アーム６０は、前端部６２が丸溝３５に枢支された状態で、後端部６４がハートカム５５に沿って揺動可能となる。ガイド部５１の下面には、スライダ５０を底板２５に配置したときにガイド孔３０内に係合され、スライダ５０が前後方向に移動するように案内するガイド用突起５２が凸設されている。なお、スライダ５０の位置決めは、ガイド用突起５２及びガイド孔３０のほか、スライダ５０及びハウジング本体２１の別の部位を用いて行うこともできる。
【００２９】
ガイド部５１の後端側において、当接部５３とばね支持部との間には、略Ｕ字形状の溝部５９が形成されている。この溝部５９には、鉤状に曲成されたロック金具９０の前端部９２が遊嵌される。ロック金具９０の後端部９４は、いったん内側へ向かった後に外側へ折り返すように曲成されており、この折り返し部分９４ａは、側面５３ｂの後端側に形成された切り欠き部５３ｃから、内側へ延出する。この後端部９４は左右方向に弾性変形可能である。なお、ロック金具９０は、同程度の弾性を備えていれば、樹脂成形により形成してもよい。または、スライダ５０の一部に一体に形成してもよい。
【００３０】
第１コイルばね８０は、その前端部及び後端部が、第１柱部５８ｂ及び第１ばね受け柱部３８にそれぞれ支持される圧縮コイルばねである。また、第２コイルばね８２は、その前端部及び後端部が、第２ばね受け柱部３６及び第２柱部５８ａにそれぞれ支持される圧縮コイルばねである。第１コイルばね８０及び第２コイルばね８２は、前後方向に沿って互いに同軸上に配置され、これによりスライダ５０は前後方向にそってハウジング本体２１に対して力学的に安定し、相対移動可能となる。
【００３１】
カード７０は、例えばマイクロサイズドＳＤメモリーカード（Ｍｉｃｒｏ−Ｓｉｚｅｄ  ＳＤ  Ｍｅｍｏｒｙ  Ｃａｒｄ）であって、その下面側の前端部に、端子２８に対応した数の周知の接点取付溝（不図示）が形成され、この接点取付溝内に接点（不図示）が取付けられている。また、カード７０の前端角部には、側面形状がスライダ５０の傾斜側面５３ａに対応した当接斜面７７が形成され、ハウジング本体２１にカード７０を挿入していくと、傾斜側面５３ａに当接斜面７７が当接する。さらに、当接斜面７７側の側部にはロック溝７８が凹設され、このロック溝７８にロック金具９０の後端部９４が係合可能となっている。
【００３２】
以下、図２〜図５を参照しつつ、カード７０の挿抜時のカード用コネクタの作用を説明する。
（１）カード未挿入状態（初期状態）
ハウジング２０にカード７０が挿入されていない状態、又は、カード７０をハウジング２０の後端側から挿入し、カード７０の当接斜面７７が、スライダ５０の傾斜側面５３ａ及びロック金具９０の折り返し部分９４ａに当接していない状態（図２）においては、スライダ５０には、第２コイルばね８２の弾性による後方への押圧力（付勢力）（Ｆ１）と、第１コイルばね８０の弾性による前方への押圧力（付勢力）（Ｆ２）と、が働いている。これらの押圧力は、第２コイルばね８２による押圧力の方が大きく設定されており、さらに、スライダ５０のばね支持部の後端面が位置決め部２９ａに当接することにより、スライダ５０の前端面５０ａの初期位置Ｐ１を決めることができる。なお、第１コイルばね８０及び第２コイルばね８２は、スライダ５０を前後方向に動かしても、第１コイルばね８０についてはコーナ壁３７とばね支持部５８に、第２コイルばね８２については前壁２６とばね支持部５８に、常に接触するような弾性力を備えている。また、スライダ５０には第１コイルばね８０、第２コイルばね８２の押圧力の差（以下初動力）Ｆｓ（＝Ｆ１−Ｆ２）が絶えず負荷されているので、カード７０が未挿入の状態で振動や衝撃が加わったとしても、スライダ５０が動いたり異音を発生したりすることがない。
【００３３】
（２）カード仮保持状態
図２に示す状態から、カード７０をさらにハウジング２０内へ挿入していくと、ロック金具９０は折り返し部分９４ａがカード７０の側面７２に当接して外側に（第１コイルばね８０に近づくように）弾性変形する。その後、さらにカード７０を挿入すると、図３に示すように、カード７０の当接斜面７７が傾斜側面５３ａに当接するとともに、後端部９４（折り返し部分９４ａ）がロック溝７８内に係合して、カード７０はハウジング本体２１に仮保持された状態となる。初期状態から仮保持状態に至るまでの間は、スライダ５０は初動力Ｆｓにより前端面５０ａが初期位置Ｐ１で静止しており、アーム６０の後端部６４はハートカム５５の前端側に位置している。ここで、当接斜面７７は、前方へ向かうにつれて徐々に内側へ向かうような傾斜面とされ、かつ、ロック金具９０の後端部９４の折り返し部分９４ａから後端部までの形状も当接斜面７７に対応するように傾斜しているため、後端部９４（折り返し部分９４ａ）をロック溝７８内に係合させるために必要な力（Ｔｉｎ）は、初期状態のスライダ５０を動かすための初動力Ｆｓ（＝Ｆ１−Ｆ２）より小さくすることができる。
【００３４】
（３）オーバーストローク状態
カード７０をハウジング２０内にさらに挿入すると、スライダ５０は第２コイルばね８２の弾性力に抗しつつカード７０と共に前進を始める。カード７０をさらに前進させると、第１コイルばね８０はその弾性によりその前端部をばね支持部に後端部を３７に当接させた状態を維持しつつ、第２コイルばね８２はさらに圧縮され、図４に示すように、カード７０の前端部は前壁２６に当接し、スライダ５０の前端面５０ａはオーバーストローク位置Ｐ２に至る（オーバーストローク状態）。このオーバーストローク状態に至るまでの間、スライダ５０には第１コイルばね８０の弾性による押圧力が働き続けているため、この分だけカード７０をハウジング２０内に挿入させるための力を低減することができる。さらに、第１コイルばね８０と第２コイルばね８２が同軸上に配置されているため、第１コイルばね８０及び第２コイルばね８２の姿勢及び挙動が安定し、これにより、カード７０を正しい方向、位置へ挿入していくことができる。また、この間、アーム６０は丸溝３５を支点にハートカム５５に沿って揺動し、アーム６０の後端部６４はハートカム５５の後端部内側に位置する。
【００３５】
（４）カードロック状態（カード挿着状態）
オーバーストローク状態に至ったところで、カード７０の挿入動作を止めると、第２コイルばね８２と第１コイルばね８０の弾性力のバランスに対応して、スライダ５０はカード７０と共に後退し、図５に示すように、アーム６０の後端部６４がハートカム５５の係合凹部５６に係合する。この結果、カード７０は所定の挿着位置に保持され、スライダ５０の前端面５０ａはロック位置Ｐ３に至る。このとき、カード７０側の各接点（不図示）はそれぞれ、所定の各端子２８と接触し、カード７０は回路基板の所定回路（不図示）と電気的に接続された状態となる。この状態では、スライダ５０は、第２コイルばね８２から後方へ向かう押圧力を、第１コイルばね８０から前方へ向かう押圧力を、それぞれ受けており、かつ、第１コイルばね８０の押圧力より第２コイルばね８２の押圧力の方が大きいため、係合凹部５６へ後端部６４が確実に係合している。このため、カード７０に衝撃が加えられたとしても、カード７０がハウジング２０から脱落することがない。
【００３６】
（５）カードの抜脱
カード７０の抜脱は、カード７０を挿着位置よりさらに前方に押込んで、第２コイルばね８２、第１コイルばね８０の弾性を利用してカード７０をハウジング２０から排出させることによって行う。すなわち、カード７０を挿着位置より前方に押し込むと、傾斜側面５３ａが当接斜面７７と当接しているスライダ５０も前方に進んで、前端面５０ａはロック位置Ｐ３からオーバーストローク位置Ｐ２へ向かう。これにより、アーム６０の後端部６４と係合凹部５６との係合状態は解かれ、後端部６４はハートカム５５の後端部外側に位置する。この状態で、カード７０の押込み動作を止めると、第２コイルばね８２の弾性力により、スライダ５０の前端面５０ａが仮保持位置Ｐ１に至るまで、カード７０及びスライダ５０は後退する（図３）。この状態で、カード７０の後端部を後方に引張ると、ロック金具（ロック部材）９０の後端部９４は外側に弾性変形し、ロック金具９０とロック溝７８との係合状態が解除され、カード７０をハウジング２０から抜脱することができる。
【００３７】
カード７０の抜脱過程においては、後端部６４と係合凹部５６との係合状態が解かれ、カード７０の押し込み動作をやめた後に、スライダ５０には、第２コイルばね８２の弾性による後方への押圧力のほかに、第１コイルばね８０の弾性による前方への押圧力が働き続けている。すなわち、この間、第２コイルばね８２ではその前端部が前壁２６に後端部がばね支持部に、第１コイルばね８０では前端部がばね支持部に後端部が３７に、それぞれ当接した状態が維持される。したがって、スライダ５０にかかる力は、図６（ａ）に示すように、カード７０の挿着工程の各状態と、カード７０の抜脱工程でこれらに対応する各状態と、で同じとなる。さらに、カード７０にはロック金具９０の後端部９４の弾性による内側への押圧力が働き続けている。この押圧力（保持力）（Ｔｏｕｔ）は、初期状態のスライダ５０を動かすための初動力Ｆｓ（＝Ｆ１−Ｆ２）より大きい。このため、カード７０が第２コイルばね８２から受ける押圧力によってカード７０がハウジング２０から飛び出してしまうことがなく、加速度を徐々に減衰させつつカード７０が後方へ移動して、ロック溝７８へのロック金具９０の後端部９４の係合が確保され、カード７０は確実に仮保持位置に保持される。
【００３８】
これに対して、従来のカード用コネクタでは、図６（ｂ）に示すように、抜脱工程においてスライダが位置Ｐ２から位置Ｐ１に移るまでの間でかかる力が当初一定値のままである。これは、加速度が減衰せずにスライダがこの間で空走していることを示しており、この挙動により、仮保持位置でスライダの急激な加速度の減衰が発生し、これによりカードに大きな慣性力が生じて、カードは仮保持位置にとどまることなくハウジングから飛び出してしまうこととなる。
【００３９】
また、本実施形態では、第１コイルばね８０と第２コイルばね８２が同軸上に配置されているため、これらの弾性による押圧力が同一直線上で働き、これにより、カード７０の抜脱動作中のスライダ５０及びカード７０の姿勢及び挙動を安定させることができる。
【００４０】
つづいて、本発明の変形例について説明する。
図７〜図９に示すように、第１スイッチ端子１００と第２スイッチ端子１１０を設け、カード７０が挿着されることによりこれらが導通する構成とすると、カードの挿着を電気的に検知することができるため好ましい。
【００４１】
第１スイッチ端子１００は板ばねであって、前端部１０２が折り曲げて前壁２６に設けた係合溝２６ａ内に係合され、後端部１０３がハウジング本体２１内において前壁２６の前方に配置されており実装基板に接続される。
【００４２】
第２スイッチ端子１１０はコイルスプリングであって、底板２５から上方に突出するように設けた支柱２５ｃに支持されたコイル部１１１から延出した前端部１１２は、前壁２６に対して、例えば一体成形により、固定されているとともに、実装基板と接続している金属からなる接続片１１４に当接（図８参照）し、後端部１１３は、前後方向において第１スイッチ端子１００の後端部１０３と対向するように、前壁２６の後方に配置されている。
【００４３】
図７に示すように、カード７０が仮保持状態では、第１スイッチ端子１００と第２スイッチ端子１１０は接触しておらず、カード７０のハウジング２０への挿着は検知されない。これに対して、図９に示すように、カード７０がハウジング２０に挿着された状態では、カード７０の前端面７９に当接した第１スイッチ端子１００の後端部１０３が、その弾性により前方に付勢されつつ、第２スイッチ端子１１０の後端部１１３に接触している。これにより第１スイッチ端子１００と第２スイッチ端子１１０が電気的に導通し、第１スイッチ端子１００又はコイル部１１１に接続されたカード検知回路（不図示）が、ハウジング２０内にカード７０が挿着されたことを検知する。
【００４４】
上述のように、第１スイッチ端子１００と第２スイッチ端子１１０は、第１コイルばね８０、第２コイルばね８２その他のカード７０の挿抜に関わる構成とは独立して設けられているので、コネクタが軽薄短小化されたとしても安定したカードの挿抜機構を得ることができる。
【００４５】
さらに、（１）挿着されたカード７０を、正しく手順を経ずに、無理に排出させた場合、（２）落下衝撃等でカード７０が排出されてしまった場合、（３）カード７０を挿抜するための構成（機構）が外力等の要因により破壊された場合、その他の誤作動が起きたとしても、正常に機能する。
【００４６】
また、第１スイッチ端子１００は、その後端部１０３がカード７０の前端面７９により押圧されることにより、後端部１１３と接触する構成となっている。このため、スライダ５０がロック位置Ｐ３にあるのにカード７０が排出されるような誤作動があったとしても、カード未挿着状態を確実に検知することができる。つまり、カード検知は正常に機能してセット等に電気的な損傷を与えることがない。
【００４７】
さらに、第２スイッチ端子１１０としてコイルスプリングを用いている。カード及びカード用コネクタの小型化に伴い、カード挿着操作のストローク（前後方向のストローク）を維持しつつ、カード及びコネクタの幅寸法（前後方向と垂直な方向）が小さくなくってきている近年の状況からすると、板ばねを用いた場合は、前後方向のストローク（変位量）小さくせずに、幅寸法の制限からバネ長が短くなるため、設計が困難となる。これに対して、コイルスプリングを用いると、幅寸法を小さくできるとともにストロークを維持できる。
【００４８】
なお、カード７０の挿着位置で、スライダ５０の動きを拘束又は解放するロック機構は、前述したアーム６０とハートカム５５の組合せに限定されるものではない。
【００４９】
上述の説明では、第１コイルばね８０及び第２コイルばね８２をともに圧縮コイルばねとしたが、これらをともに引張コイルばねとすることもできる。この場合、第１コイルばね８０の引張力を第２コイルばね８２より大きくする設定とすると、上述の実施形態と同様の作用、効果を得ることができる。
【００５０】
本発明について上記実施形態を参照しつつ説明したが、本発明は上記実施形態に限定されるものではなく、改良の目的または本発明の思想の範囲内において改良または変更が可能である。
【図面の簡単な説明】
【００５１】
【図１】本発明の実施形態に係るカード用コネクタの構成を示す分解斜視図である。
【図２】本発明の実施形態に係るカード用コネクタへのカードの挿入を開始した状態を示す平面図である。
【図３】本発明の実施形態に係るカード用コネクタにカードが仮保持された状態を示す平面図である。
【図４】本発明の実施形態に係るカード用コネクタにおいてカードがオーバーストローク位置まで挿入された状態を示す平面図である。
【図５】本発明の実施形態に係るカード用コネクタへカードが挿着された状態を示す平面図である。
【図６】カード用コネクタへのカードの挿抜過程においてスライダにかかる力を縦軸に、スライダの前後方向位置を横軸に示した図であり、（ａ）は本発明の実施形態に係るカード用コネクタの場合を、（ｂ）は従来のカード用コネクタ場合を示す。
【図７】本発明の変形例に係るカード用コネクタにカードが仮保持された状態を示す平面図である。
【図８】図７における第２スイッチ端子及びその周辺の構成を拡大して示す上下方向直交断面図である。
【図９】本発明の変形例に係るカード用コネクタへカードが挿着された状態を示す平面図である。
【図１０】従来のカード用コネクタの構成を示す分解斜視図である。
【図１１】従来のカード用コネクタの構成を示す平面図である。
【符号の説明】
【００５２】
２０      ハウジング
２１      ハウジング本体
２８      端子（コネクタ端子）
２９ａ    位置決め部
４１      ハウジングカバー
５０      スライダ
６０      アーム
７０      カード
８０      第１コイルばね
８２      第２コイルばね
９０      ロック金具（ロック部材）
Ｐ１      初期位置
Ｐ２      オーバーストローク位置
Ｐ３      ロック位置
【図１】
0004473226.tif 000002
【図２】
0004473226.tif 000003
【図３】
0004473226.tif 000004
【図４】
0004473226.tif 000005
【図５】
0004473226.tif 000006
【図６】
0004473226.tif 000007
【図７】
0004473226.tif 000008
【図８】
0004473226.tif 000009
【図９】
0004473226.tif 000010
【図１０】
0004473226.tif 000011
【図１１】
0004473226.tif 000012